(57)【要約】【課題】精度良くブレ補正を行い得るブレ補正装置を提供する。【解決手段】像ブレを補正するために互いに相対移動が可能である第１部材２０及び第２部材１０と、前記第１部材に備えられ、発光する発光部２８ａと、前記発光部の中心よりも前記第１部材の中心側に備えられ、前記発光部に電力を供給する配線９２と前記発光部とを接続する接続端子２５ａと、前記第２部材に備えられ、前記発光部から発生する光を受光する受光部１５ａと、前記受光部から出力される信号を用いて前記第１部材及び前記第２部材の相対移動を制御する制御部８２とを含むブレ補正装置。【選択図】図２
2010170040.tif 000002
【特許請求の範囲】
【請求項１】
像ブレを補正するために互いに相対移動が可能である第１部材及び第２部材と、
前記第１部材に備えられ、発光する第１発光部と、
前記第１発光部と間隔を隔てて前記第１部材に備えられ、発光する第２発光部と、
前記第１発光部に電力を供給する配線と前記第１発光部とを接続する第１接続端子と、
第１接続端子に対向して備えられ、前記第２発光部に電極を供給する配線と前記第２発光部とを接続する第２接続端子と
前記第２部材に備えられ、前記第１発光部及び前記第２発光部から発生する光を受光する受光部と、
前記受光部から出力される信号を用いて前記第１部材及び前記第２部材の相対移動を制御する制御部とを含むことを特徴とするブレ補正装置。
【請求項２】
請求項１に記載されたブレ補正装置であって、
前記第１部材及び前記第２部材の相対移動方向に平行に備えられ、前記第１部材と前記第２部材との相対移動をガイドするガイド軸を有し、
前記第１接続端子と前記第２接続端子との対向方向は、ガイド軸と略平行であることを特徴とするブレ補正装置。
【請求項３】
請求項１又は請求項２に記載されたブレ補正装置であって、
前記配線は、フレキシブルプリント基板であり、少なくとも一部が前記第１発光部と前記第２発光部との間に備えられていることを特徴とするブレ補正装置。
【請求項４】
請求項１から請求項３までの何れか１項に記載されたブレ補正装置であって、
前記第１部材は、前記第１発光部を収納する前記第１収納部と、前記第２発光部を収納する第２収納部とを有し、
前記第１収納部は、前記第１発光部の中心よりも前記第１部材の中心側に設けられ前記配線が引出される第１開口を有し、
前記第２収納部は、前記第２発光部の中心よりも前記第１部材の中心側に設けられ前記配線が引出される第２開口を有することを特徴とするブレ補正装置。
【請求項５】
請求項１から請求項４までの何れか１項に記載されたブレ補正装置であって、
前記第１発光部と前記受光部との間に備えられ前記第１発光部から発生した光を通過させる第１スリットと、
前記第２発光部と前記受光部との間に前記第１スリットの長手方向と交差する方向に備えられ前記第２発光部から発生した光を通過させる第２スリットとを有することを特徴とするブレ補正装置。
【請求項６】
請求項５に記載されたブレ補正装置であって、
前記第１接続端子と前記第２接続端子との対向方向は、前記第１スリットの長手方向及び前記第２スリットの長手方向に交差する方向であることを特徴とするブレ補正装置。
【請求項７】
請求項１から請求項６までの何れか１項に記載されたブレ補正装置であって、
前記第１部材及び前記第２部材の少なくとも一方に備えられ像ブレ補正する光学系を有することを特徴とするブレ補正装置。
【請求項８】
請求項１から請求項６までの何れか１項に記載されたブレ補正装置であって、
前記第１部材及び前記第２部材の少なくとも一方に備えられ像ブレを補正する撮像素子を有することを特徴とするブレ補正装置。
【請求項９】
請求項１から請求項８までの何れか１項に記載されたブレ補正装置を含むことを特徴とする光学機器。
【発明の詳細な説明】
【技術分野】
【０００１】
本発明は、ブレ補正装置および光学機器に関する。
【背景技術】
【０００２】
手振れなどによる撮像画像のブレを抑制することができるブレ補正装置としては、たとえば、補正レンズや撮像素子を、検出されたカメラのブレに合わせて移動させるブレ補正装置がある。また、ブレ補正装置における補正レンズ等の位置検出装置としては、特許文献１に示すように、ＬＥＤ等の発光素子と、ＰＳＤ等の位置検出素子を用いる位置検出装置が知られている。
【０００３】
しかし、従来技術に係る位置検出装置では、位置検出素子が、スリットを通過した光でだけでなくスリット以外の隙間から回り込んだ光を検出することによって、検出精度が低下や、誤検出を起こすことがある。そのため、従来技術に係るブレ補正装置では、十分な補正精度を得ることが難しく、問題となっていた。
【先行技術文献】
【特許文献】
【０００４】
【特許文献１】特開平１１−２０２３７７号公報
【発明の概要】
【発明が解決しようとする課題】
【０００５】
本発明は、このような実状に鑑みてなされ、その目的は、精度良くブレ補正を行い得るブレ補正装置を提供することである。
【課題を解決するための手段】
【０００６】
上記目的を達成するために、本発明に係るブレ補正装置は、
像ブレを補正するために互いに相対移動が可能である第１部材（２０）及び第２部材（１０）と、
前記第１部材に備えられ、発光する第１発光部（２８ａ）と、
前記第１発光部と間隔を隔てて前記第１部材に備えられ、発光する第２発光部（２８ｂ）と、
前記第１発光部に電力を供給する配線（９２）と前記第１発光部とを接続する第１接続端子（２５ａ）と、
第１接続端子に対向して備えられ、前記第２発光部に電極を供給する配線（９２）と前記第２発光部とを接続する第２接続端子（２５ｂ）と
前記第２部材に備えられ、前記第１発光部及び前記第２発光部から発生する光を受光する受光部（１５ａ，１５ｂ）と、
前記受光部から出力される信号を用いて前記第１部材及び前記第２部材の相対移動を制御する制御部（８２）とを含む。
【０００７】
また、例えば、本発明に係るブレ補正装置は、前記第１部材及び前記第２部材の相対移動方向に平行に備えられ、前記第１部材と前記第２部材との相対移動をガイドするガイド軸（１１）を有してもよく、
前記第１接続端子と前記第２接続端子との対向方向は、ガイド軸と略平行であってもよい。
【０００８】
また、例えば、前記配線は、フレキシブルプリント基板であり、少なくとも一部が前記第１発光部と前記第２発光部との間に備えられていてもよい。
【０００９】
また、例えば、前記第１部材は、前記第１発光部を収納する前記第１収納部（２５ａ）と、前記第２発光部を収納する第２収納部（２５ｂ）とを有してもよく、
前記第１収納部は、前記第１発光部の中心よりも前記第１部材の中心側に設けられ前記配線が引出される第１開口（３０ａ）を有してもよく
前記第２収納部は、前記第２発光部の中心よりも前記第１部材の中心側に設けられ前記配線が引出される第２開口（３０ｂ）を有してもよい。
【００１０】
また、例えば、本発明に係るブレ補正装置は、前記第１発光部と前記受光部との間に備えられ前記第１発光部から発生した光を通過させる第１スリット（２７ａ）と、
前記第２発光部と前記受光部との間に前記第１スリットの長手方向と交差する方向に備えられ前記第２発光部から発生した光を通過させる第２スリット（２７ｂ）とを有してもよい。
【００１１】
また、例えば、前記第１接続端子と前記第２接続端子との対向方向（１００ａ）は、前記第１スリットの長手方向及び前記第２スリットの長手方向に交差する方向であってもよい。
【００１２】
また、例えば、本発明に係るブレ補正装置は、前記第１部材及び前記第２部材の少なくとも一方に備えられ像ブレを補正する光学系（７８）を有してもよい。
【００１３】
また、例えば、本発明に係るブレ補正装置は、前記第１部材及び前記第２部材の少なくとも一方に備えられ像ブレを補正する撮像素子を有してもよい。
【００１４】
また、例えば、本発明に係る光学機器は、上記いずれかに記載のブレ補正装置を含む。
【００１５】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【図面の簡単な説明】
【００１６】
【図１】本発明の一実施形態に係るブレ補正機構を備えるカメラシステムの概略断面図である。
【図２】図２は、図１に示すブレ補正レンズ群を移動させるブレ補正機構の分解斜視図である。
【図３】図３は、図２に示すブレ補正機構の要部平面図である。
【図４】図４は、図２に示すブレ補正機構の収納部周辺をＺ軸負方向側から見た部分平面図である。
【図５】図５は、図２に示すブレ補正機構の収納部周辺をＺ軸正方向側から見た部分斜視図である。
【図６】図６は、図２に示すブレ補正機構の第２発光部を示す平面図である。
【図７】図７は、本実施形態に係るブレ補正機構および制御部を表すブロック図である。
【図８】図８は、本発明の参考例に係るブレ補正装置の収納部周辺をＺ軸正方向側から見た部分斜視図である。
【発明を実施するための形態】
【００１７】
第１実施形態
図１は、本発明の一実施形態に係るブレ補正装置を備えるカメラシステムの概略断面図である。カメラシステム５０は、レンズ鏡筒５２と、レンズ鏡筒５２が装着されるカメラボディ５４から成る。本実施形態に係るレンズ鏡筒５２は、６群構成のズームレンズであり、第１のレンズ群５６と、第２のレンズ群５８と、第３のレンズ群６０と、第４のレンズ群６２と、第５のレンズ群６４と、第６のレンズ群６６と、絞り７６とを有する。
【００１８】
第１のレンズ群５６と、第３のレンズ群６０と、第５のレンズ群６４と、第６のレンズ群６６は、レンズ鏡筒５２の倍率調整の際に、カメラシステム５０の光軸α方向（Ｚ軸方向）に沿って移動する。また、第１のレンズ群５６は、レンズ鏡筒５２のピント合わせの際に、カメラシステム５０の光軸α方向（Ｚ軸方向）に沿って移動する。カメラシステム５０は、第１のレンズ群５６を移動させて焦点調整を行うことによって、カメラボディ５４の内部に備えられる像面７４に、被写体の像を結ぶ。
【００１９】
第２のレンズ群５８と、第４のレンズ群６２とは、レンズ鏡筒５２の倍率調整およびピント合わせの際に、Ｚ軸方向の位置が変化しない。第２レンズ群５８は、非ブレ補正レンズ群７０，７２と、ブレ補正レンズ群７８とから成る。
【００２０】
ブレ補正レンズ群７８は、ブレ補正を行うためのレンズ群であり、後述のブレ補正機構８０（図２等参照）によって、光軸αに略垂直な方向（ＹＸ平面に沿う方向）に移動することができる。なお、本実施形態に係るカメラシステム５０およびこれに備えられるブレ補正機構８０の説明においては、図１等に示すように、光軸αに沿ってレンズ鏡筒５２からカメラボディ５４に向かう方向をＺ軸の正方向、Ｚ軸に直交する方向をＸ軸方向およびＹ軸方向とする。
【００２１】
また、本実施形態では、主としてレンズ鏡筒５０に備えられるブレ補正機構８０（図２等参照）を例に説明を行うが、ブレ補正機構としてはこれに限定されない。実施形態に用いられるブレ補正機構としては、カメラボディに備えられるものであってもよく、ビデオカメラや携帯電話等に備えられるものであってもよい。
【００２２】
図２は、図１に示すブレ補正レンズ群７８を移動させるブレ補正機構８０の分解斜視図である。ブレ補正機構８０は、像ブレを補正するために互いに相対移動が可能であるレンズ保持枠２０と固定枠１０を有する。また、ブレ補正機構８０は、保持機構４１を備える蓋部材４０をさらに有する。保持機構４１は、非防振時にレンズ保持枠２０を光軸（光軸近傍）に保持する機構（ロック機構）である。非防振時には、保持機構４１のロックピン４２がレンズ保持枠２０の凹溝７９に係合することによりレンズ保持枠２０が光軸近傍に保持される。例えば、保持機構４１とレンズ保持枠２０との間には鋼球（図示せず）が備えられている。レンズ保持枠２０は、引っ張りバネ（図示せず）により−Ｚ方向に付勢されている。このため、レンズ保持枠２０は、Ｚ方向の両側から、蓋部材４０と、固定枠１０とに挟まれた状態で、Ｚ軸に直交する方向に移動可能に保持されている。
【００２３】
固定枠１０には、マグネット１２ａおよび１２ｂが固定されている。マグネット１２ａおよび１２ｂは、レンズ保持枠２０に固定されているコイル２１ａおよび２１ｂと共に、レンズ保持枠２０およびブレ補正レンズ群７８を移動させるボイスコイルモータ（ＶＣＭ）を構成している。また、図１に示すレンズ鏡筒５０には、ブレ補正機構８０に備えられるボイスコイルモータを制御するための制御部８２（図８参照）が備えられている。
【００２４】
制御部８２は、レンズ保持枠２０に固定されたコイル２１ａに流れる電流値を変化させることによって、レンズ保持枠２０およびレンズ保持枠２０に保持されるブレ補正レンズ群７８を、Ｘ軸方向に移動させる。また、制御部８２は、コイル２１ｂに流れる電流を変化させることによって、レンズ保持枠２０およびブレ補正レンズ群７８を、Ｙ軸方向に移動させる。
【００２５】
また、図２に示すように、固定枠１０には、ガイド軸１１が取り付けられている。ガイド軸１１は、レンズ保持枠の移動方向であるＸＹ平面に対して、ガイド軸１１の長手方向が略平行になるように備えられる。これに対して、レンズ保持枠２０には、ガイド軸１１に係合する係合部２４が形成されている。係合部２４には、係合部２４がガイド軸１１に係合した状態において、レンズ保持枠２０がガイド軸１１の長手方向に移動できるように、溝が形成されている。
【００２６】
ガイド軸１１は、ガイドアーム１８を介して、固定枠１０に対して回動自在に取り付けられている。ガイド軸１１と固定枠１０を接続するガイドアーム１８は、固定枠１０に固定された軸１９を中心として回動することができる。レンズ保持枠２０は、係合部２４を介してガイド軸１１に係合されることによって、Ｚ軸（および光軸α）回りの回転が規制された状態において、Ｚ軸に略直交するＸ軸方向およびＹ軸方向に移動することができる。これにより、レンズ保持枠２０は、固定枠１０に対して、Ｚ軸を中心とする回転方向の位置関係を略一定に維持しつつ、ＸＹ平面に沿って相対移動することができる。
【００２７】
レンズ保持枠２０には、第１発光ユニット２２ａが取り付けられる第１収納部２６ａと、第２発光ユニット２２ｂが取り付けられる第２収納部２６ｂとが形成されている。図４は、レンズ保持枠２０の第２収納部２６ｂの周辺部を拡大した部分平面図である。第２収納部２６ｂは、段差と斜面を組み合わせて形成された凹部２９と、凹部２９と連続する第２スリット２７ｂとを有する。
【００２８】
第２収納部２６ｂの凹部２９には、第２発光ユニット２２ｂに備えられる第２発光素子２８ｂ（図６参照）が収納される。凹部２９は、第２発光ユニット２２ｂの第２素子固定部２３ｂ（図６）が設置される第１段差部２９ａ、第２発光素子２８ｂの外周部によって構成される突起を逃がすための第２段差部２９ｂ、第２端子部２５ｂ（図６）を収納する第３段差部２９ｃ等を有する。
【００２９】
第２スリット２７ｂは、図５に示すように、レンズ保持枠２０に形成された貫通穴である。したがって、第２スリット２７ｂは、第２発光素子２８ｂから発生した光を、図２に示す固定枠１０に向かって（Ｚ軸正方向側に向かって）通過させる。なお、第１収納部２６ａは、レンズ保持枠２０における配置および向きが第２収納部２６ｂとは異なるが、形状は第２収納部２６ｂと同様であり、説明を省略する。
【００３０】
図６は、図２に示す第２収納部２６ｂに取り付けられる第２発光ユニット２２ｂの拡大図である。第２発光ユニット２２ｂは、第２端子部２５ｂと、第２発光素子２８ｂと、第２素子固定部２３ｂとから成る。第２端子部２５ｂは、発光素子２８ｂと配線部９２（図３参照）とを電気的に接続する。第２発光素子２８ｂは、第２端子部２５ｂを介して電力を供給され発光する。第２素子固定部２３ｂには、第２発光素子２８ｂが固定される。第２発光素子２８ｂの中心である素子中心３１ｂは、第１素子固定部２３ｂの中心と一致していても良いが、本実施形態のようにずらして配置されていてもよい。第２発光素子２８ｂとしては、例えばＬＥＤ等を用いることができる。
【００３１】
第２発光ユニット２２ｂは、図３に示すように、第２発光素子２８ｂを第２収納部２６ｂ側（Ｚ軸正方向側）に向けた状態で、第２収納部２６ｂに取り付けられる。したがって、第２素子固定部２３ｂは、第２収納部２６ｂをＺ軸負方向側から塞ぐ蓋の役割を兼ねている。
【００３２】
また、第２発光ユニット２２ｂの第２端子部２５ｂは、図６に示すように、第２素子固定部２３ｂに対して、第２素子固定部２３ｂに沿う方向（ＸＹ平面に沿う方向）に突出している。したがって、第２端子部２５ｂは、図３に示すように、第２発光ユニット２２ｂが第２収納部２６ｂに取り付けられた状態において、第２収納部２６ｂの開口３０ｂの直下（Ｚ軸負方向側）に位置する。
【００３３】
第２端子部２５ｂは、開口３０ｂを通して配線される配線部９２（図３において一点鎖線にて形状を表示）に、電気的に接続される。また、第２端子部２５ｂは、図６に示すように、第２発光素子２８ｂに電気的に接続されている。すなわち、第２端子部２５ｂは、第２発光素子２８ｂに電力を供給する配線部９２と、第２発光素子２８ｂとを電気的に接続している。第２発光素子２８ｂに電力を供給する配線部９２としては、例えばフレキシブルプリント基板（ＦＰＣ）等が用いられる。また、配線部９２の少なくとも一部は、第１発光ユニット２２ａに備えられる第１発光素子２８ｂと、第２発光ユニット２２ｂに備えられる第２発光素子２８ｂとの間に備えられる。これにより、配線部９２は、第１発光素子２８ａと第２発光素子２８ｂの両方に電力を供給することができるため、ブレ補正機構８０の配線を小型化し、あるいは、ブレ補正機構８０の部品数を減少させて組立を容易にできる。
【００３４】
なお、図２および図３に示す第１発光ユニット２２ａは、レンズ保持枠２０に対する配置および向きが第２発光ユニット２２ｂとは異なるが、形状その他の構成は、第２発光ユニット２２ｂと同様であるため、説明を省略する。また、図３に示すように、第１発光ユニット２２ａの第１端子部２５ａも、第２端子部２５ｂと同様に、配線部９２に電気的に接続される。
【００３５】
図２に示すように、固定枠１０には、第１受光素子取付部１４ａと、第２受光素子取付部１４ｂとが形成されている。第１受光素子取付部１４ａには、第１発光ユニット２２ａの第１発光素子２８ａから発生し、第１収納部２６ａの第１スリット２７ａを通過した光を受光する第１受光部が取り付けられる。また、第２受光素子取付部１４ｂには、第２発光ユニット２２ｂの第２発光素子２８ｂから発生し、第２収納部２６ｂの第２スリット２７ｂを通過した光を受光する第２受光部が取り付けられる。第１受光部および第２受光部としては、ＰＳＤ（Position Sensitive Detector）等が用いられる。
【００３６】
本実施形態に係るブレ補正機構８０において、第２受光部は、スリットの長手方向がＹ軸に略直交する方向である第２スリット２７ｂ（図４参照）を通過した光を受光し、レンズ保持枠２０およびブレ補正レンズ群７８について、Ｙ軸方向の位置を検出する。また、第１受光部は、スリットの長手方向がＸ軸に略直交する方向に形成された第１スリット２７ａ（不図示）を通過した光を受光し、レンズ保持枠２０およびブレ補正レンズ群７８について、Ｘ軸方向の位置を検出する。
【００３７】
図７は、本実施形態に係るブレ補正機構８０の制御を表すブロック図である。レンズ鏡筒５２（図１）には、ブレ補正機構８０を制御する制御部８２が備えられる。制御部８２は、図７に示すように、ジャイロセンサ８４からの検出信号と、受光部１５ａ，１５ｂから出力される位置検出信号とを用いて、固定枠に対するレンズ保持枠２０の相対移動を制御する。
【００３８】
制御部８２は、ＣＰＵ８６と防振駆動ドライバ８８と防振追従制御ＩＣ９０とを有する。ＣＰＵ８６は、レンズ鏡筒５２（図１）に搭載されたジャイロセンサ８４からの検出信号を用いて、レンズ保持枠２０の目標位置を演算し、防振追従制御ＩＣ９０に出力する。防振追従制御ＩＣ９０は、受光部１５ａ，１５ｂから入力された信号から、レンズ保持枠２０の位置を算出する。さらに、防振追従制御ＩＣ９０は、レンズ保持枠２０の位置と、ＣＰＵ８６より入力されたレンズ保持枠２０の目標位置とから、レンズ保持枠２０の移動量を算出し、防振駆動ドライバ８８に出力する。
【００３９】
防振駆動ドライバ８８は、ブレ補正機構８０に備えられるボイスコイルモータを駆動するためのドライバである。防振駆動ドライバ８８は、防振追従制御ＩＣ９０から入力されたレンズ保持枠２０の移動量に従い、レンズ保持枠２０に取り付けられたコイル２１ａ，２１ｂを流れる電流の値を制御する。これによって、レンズ保持枠２０に固定されているブレ補正レンズ群７８は、ジャイロセンサ８４によって検出されたブレを補正するように、駆動制御される。
【００４０】
本実施形態に係るブレ補正機構８０において、第１端子部２５ａと第２端子部２５ｂとは、互いに対向するように備えられる。これによって、配線部９２を短くコンパクトにすることが可能であり、さらに、発光素子２８ａ，２８ｂへの配線がシンプルになるため、ブレ補正機構８０の組立てが容易になる。また、第１端子部２５ａと第２端子部２５ｂとの対向方向は、ガイド軸１１の軸方向と略平行であることが好ましい。これによって、係合部２４、発光ユニット２２ａ，２２ｂおよび配線部９２を、レンズ保持枠２０における所定の部分に密集させて配置させることができるため、レンズ保持枠２０を小型化することができる。
【００４１】
また、本実施形態に係るブレ補正機構８０は、発光ユニット２２ａ，２２ｂへの電気的な接続を、例えばレンズ保持枠２０の外周付近のような受光部に近接する位置から離れた位置で、行うことができる。したがって、本実施形態に係るブレ補正機構８０は、発光素子２８ａ，２８ｂから発生した光が、スリット２７ａ，２７ｂ以外の部分を通過して、受光部１５ａ，１５ｂに回り込むことを防止している。
【００４２】
すなわち、本実施形態に係るブレ補正機構８０は、図５に示すように、レンズ保持枠２０の外周側面には、収納部２６ａ，２６ｂの内部に通じる開口が形成されていない。したがって、スリット２７ａ，２７ｂ以外の部分から、受光部側（収納部２６ｂに対してＺ軸正方向側）へ、発光素子２８ａ，２８ｂの光が漏れることを効果的に防止できる。
【００４３】
図７は、本発明の参考例に係るブレ補正機構１８０の第２収納部１２６ｂの周辺を、Ｚ軸正方向側から見た部分斜視図であり、本実施形態に係るブレ補正機構８０における図５に対応する図である。参考例に係るブレ補正機構１８０は、第２端子部１２５ｂが、第２発光ユニット１２２ｂに備えられる第２発光素子の素子中心より、レンズ保持枠１２０の外周側に備えられている。参考例に係るブレ補正機構１８０では、レンズ保持枠１２０の外周側面から第２端子部１２５ｂが突出しており、レンズ保持枠１２０の外周側面に、第２収納部１２６ｂの内部に通じる開口１３０ｂが形成されている。したがって、参考例に係るブレ補正機構１８０は、スリット１２７ｂ以外の部分から受光部側へ第２発光素子の光が漏れることを、十分に防止できない。
【００４４】
それに対して、本実施形態に係るブレ補正機構８０では、発光素子２８ａ，２８ｂの光がスリット２７ａ，２７ｂ以外の部分から受光部１５ａ，１５ｂに回り込むことが防止されている。したがって、本実施形態に係る受光部１５ａ，１５ｂ（図７）は、位置検出精度が高く、誤検出も少ない。このため、本実施形態に係る制御部８２は、レンズ保持枠２０の移動をより正確に制御することが可能であり、高精度なブレ補正制御を行うことができる。
【００４５】
本実施形態に係るブレ補正機構８０は、図３に示すように、第１および第２端子部２５ａ，２５ｂが、第１および第２発光素子２８ａ，２８ｂの素子中心３１ａ，３１ｂよりもレンズ保持枠２０の枠中心２０ａ側に備えられる。すなわち、第１および第２端子部２５ａ，２５ｂは、枠中心２０ａを中心として素子中心３１ａ，３１ｂを通る基準円９４の内側（枠中心２０ａ側）に配置されている。なお、本実施形態において、レンズ保持枠２０の枠中心２０ａは、ブレ補正レンズ群７８の光軸と略一致する。
【００４６】
また、本実施形態に係るブレ補正機構８０に備えられる収納部２６ａ，２６ｂは、図３に示すように、発光素子２８ａ，２８ｂの素子中心３１ａ，３１ｂよりもレンズ保持枠２０の枠中心２０ａ側に、端子部２５ａ，２５ｂから配線部９２への配線が引出される開口３０ａ，３０ｂを有している。したがって、本実施形態に係るブレ補正機構８０では、開口３０ａ，３０ｂを、固定枠１０に備えられる受光部に対して十分に離間させている。また受光部は、開口３０ａ，３０ｂに対して、レンズ保持枠２０を隔てて反対側に配置されているため、開口３０ａ，３０ｂから漏れた光が、受光部１５ａ，１５ｂに到達する可能性は低い。このように、本実施形態に係るブレ補正機構８０は、開口３０ａ，３０ｂから漏れた発光素子２８ａ，２８ｂの光が、受光部１５ａ，１５ｂに到達することを防ぎ、受光部１５ａ，１５ｂの位置検出精度低下や、誤検出を防止している。
【００４７】
また、開口３０ａ，３０ｂが、レンズ保持枠２０の面のうちＹＸ平面に略平行な面に形成されているため、配線部９２の引き回しが容易である。なお、配線部９２は、図３に示すように、開口３０ａ，３０ｂを閉鎖するように配置されてもよい。これによって、開口３０ａ，３０ｂから、発光素子２８ａ，２８ｂの光が漏れることを防止でき、ブレ補正レンズ群７８側に、発光素子２８ａ，２８ｂの光が誤って入射することも防止できる。
【００４８】
また、本実施形態に係るブレ補正装置は、第１発光素子２８ａから発生した光を透過させる第１スリット２７ａと、第１スリット２７ａの長手方向（Ｙ軸方向）と交差する方向（Ｘ軸方向）に備えられ第２発光素子２８ｂから発生した光を通過させる第２スリット２７ｂとを有する。各スリット２７ａ，２７ｂが、互いに交差する方向に配置されることによって、本実施形態に係るブレ補正装置は、レンズ保持枠２０の２次元方向の位置を正確に検出することができる。
【００４９】
また、本実施形態に係るブレ補正装置は、第１スリット２７ａの長手方向（Ｙ軸方向）と、第１端子部２５ａの長手方向が、Ｚ軸方向から見て斜めに交差するように配置されている。これによって、レンズ保持枠２０の大きさを拡大することなく、開口３０ａ，３０ｂから受光部へ発光素子２８ａ，２８ｂの光が回り込むことを防止できる。第２スリット２７ｂと第２端子部２５ｂとの関係も、同様である。
【００５０】
さらに、本実施形態に係るブレ補正機構８０では、第１端子部２５ａと第２端子部２５ｂとの対向方向は、図３に示すように、第１スリット２７ａの長手方向（Ｙ軸方向）及び第２スリット２７ｂの長手方向（Ｘ軸方向）に交差する。これによって、本実施形態に係るブレ補正機構８０は、発光ユニット２２ａ，２２ｂ，および配線部９２を、レンズ保持枠２０に密集させて配置させることができるため、レンズ保持枠２０を小型化することができる。また、これと同時に、発光素子２８ａ，２８ｂの光が、開口３０ａ，３０ｂから漏れることによって受光部１５ａ，１５ｂに到達することを防止できる。また、さらに、第１スリット２７ａおよび第２スリット２７ｂの長手方向は、それぞれのスリット２７ａ，２７ｂを通過した光により検出される移動方向に対して、略直交している。そのため、それぞれの受光部によって、レンズ保持枠２０の位置が正確に検出される。
【００５１】
その他の実施形態
上述の実施形態では、ブレ補正レンズ群７８を移動させるブレ補正機構８０を説明したが、実施形態に用いられるブレ補正機構としてはこれに限定されず、たとえば、撮像素子が取り付けられた素子保持枠（第１実施形態ではレンズ保持枠２０に相当）を、固定部（第１実施形態では固定枠１０に相当）に対して相対移動させるものであってもよい。
【符号の説明】
【００５２】
１０…  固定枠
１１…  ガイド軸
１３…  光学レンズ群
１５ａ，１５ｂ…  受光部
２０…  レンズ保持枠
２５ａ，２５ｂ…  第１端子部，第２端子部
２６ａ，２６ｂ…  第１収納部，第２収納部
２７ａ，２７ｂ…  第１スリット，第２スリット
２８ａ，２８ｂ…  第１発光素子，第２発光素子
３０ａ，３０ｂ…  開口
７８…  ブレ補正レンズ群
８２…  制御部
９２…  配線部
【図１】
2010170040.tif 000003
【図２】
2010170040.tif 000004
【図３】
2010170040.tif 000005
【図４】
2010170040.tif 000006
【図５】
2010170040.tif 000007
【図６】
2010170040.tif 000008
【図７】
2010170040.tif 000009
【図８】
2010170040.tif 000010